(57)【特許請求の範囲】
【請求項１】
銃身の前後方向に延びるバレルと、
銃身の前後方向に延びる筒形状をなして内部に圧縮ガスで充満される気室を形成し、前方側で前記バレルの後方側の端部に連通し、後方側に銃身の前後方向に貫通する貫通孔を有するバルブボディと、
前記バルブボディの内部に位置付けられ、前記バレルと前記気室との連通を閉止する閉位置と前記閉位置よりも前方寄りであって前記バレルと前記気室との連通を開放する開位置との間で変位自在に設けられる放出バルブと、
前記放出バルブを後方に押し前記閉位置に位置付ける放出バルブスプリングと、
銃身の前後方向にスライド自在に設けられ、前部に開口を有し、後部に閉口端を形成し、内部に前記放出バルブを後方から押圧する当接部と、側面に銃身の前方に延出する部分から後方に向けられたカム部と、前記後部閉口端の下方に下面から延出して前方から後方にかけて上方へ向かうように傾斜する係止突起を有するボルトと、
前記ボルトを前方に押すボルトスプリングと、
前記ボルトの下部に設けられ、前記ボルトの係止突起と当接する突起を有するシアーと、
前記シアーの下方に設けられ、前方端またはその近傍に上方に延出する前記ボルトのカム部と当接するボルト当接部と、側面に前記シアーを係止する係止突起とを有し、回動自在に配置された第一のトリガーバーと、
前記シアーの前方に設けられ、前記ボルトの係止突起と当接する突起を有するインナーセフティと、
前記インナーセフティの下方であって前記第一のトリガーバーの前方に設けられ、側面に前記インナーセフティを係止する係止突起を有し、前後に摺動可能に配置された第二のトリガーバーと、
を備える玩具銃。
【請求項２】
前記シアーが、軸芯と、軸芯より後方に延びる後方突出部と、軸芯より下方に延びる下方突起部と、後方突起部の後方端から上方に向けて突出する前記ボルトの係止突起と当接する係止突起を有し、
前記インナーセフティが、軸芯と、軸芯より後方に延びる後方突出部と、軸芯より下方に延びる下方突起部と、後方突起部の後方端から上方に向けて突出する前記ボルトの係止突起と当接する係止突起を有する、
請求項１に記載の玩具銃。
【請求項３】
前記ボルトのカム部の形状が、前方平坦部、中間スロープ、後方平坦部を前方から後方に向けて順に連続して有する形状である、請求項１又は２に記載の玩具銃。
【請求項４】
前記ボルトが後退により前記シアーに係合し、かつ前記第一のトリガーバーに連結されたトリガーが初期状態にあるときに、前記第一のトリガーバーの前方端が前記第二のトリガーバーの後方端と当接し、第一のトリガーバーと第二のトリガーバーが一直線上になるように、第一のトリガーバーと第二のトリガーバーが配置されている、請求項１〜３のいずれかに記載の玩具銃。
【発明の詳細な説明】
【技術分野】
【０００１】
本発明は、使用者がトリガーを引くことによりボルトが移動し、ボルトがバルブを開いて圧縮ガスを噴出させ、この圧縮ガスによる圧力で弾丸を発射する玩具銃（いわゆる、圧縮ガスを使用するオープン・ボルト式玩具銃）に関する。
【背景技術】
【０００２】
エアガンにおけるオートマチックの作動は、フル・オートマチックとセミ・オートマチックとに分かれる。フル・オートマチックは、オートマチックで作動する発射機構において、トリガーを引き、そのまま引き続ければ、弾丸がなくなるまで弾丸を発射する機構である。オートマチックを採用する銃において、フル・オートマチックでは、弾丸やガスの消費が激しいことや銃の反動が大きくなることによる命中精度の低下というデメリットがあるために、セミ・オートマチックが好まれる場合がある。そこで、トリガーと撃発装置（ボルトやハンマー、シアー等）との連結を一時的に断つことにより、セミ・オートマチックの作動をさせることとなる。
【０００３】
このような働きをするディスコネクターを備えた、従来の圧縮ガスを使用するオープン・ボルト式玩具銃のオートマチック式エアガンとしては、例えば、図１１に表すエアガンが知られている。図１１〜図１３を参照して以下に説明する。
【０００４】
図１１は、従来のオープン・ボルト式エアガンの初期状態を示している。銃本体は、フレーム２０１、ボルト２０２、ボルトスプリング２０３、トリガー２０４、トリガースプリング２０５、シアー２０６、シアースプリング２０７、シアー係止突起２０８を有する。図１２に示すように、ボルト２０２を手で銃の後方に引くと、ボルトスプリングの付勢に抗してボルトが後退し、シアー係止部にてシアー係止され発射準備を完了する。トリガーを引くと、シアーがボルトから外れ、ボルトスプリングの付勢によりボルトが急速に前進し、ボルト内のヒットピン２０９がバルブボディ２１０内の放出バルブ２１１を叩打する。これによって、放出バルブが前進して、バルブボディ内の気密が解け、バルブボディ内に満ちている圧縮ガスによって弾丸が発射される。
次いで、バルブボディ２１０内の圧縮ガスは、銃口へ向かうほか、ボルトの後方へも向かい、ボルトを後方へ押圧し、ボルトは、ボルトスプリングの付勢に抗して、後退を始める。ボルトが後退しきった後、ボルトはボルトスプリングの付勢によって、前進しようとするけれども、図１３に示すように、シアースプリングによって初期状態に復帰したシアー２０６によって係止され、コッキング位置のままでボルトが停止する。
この状態で、使用者がトリガーの指掛部から指を離すと、トリガースプリングによって図１１に示す初期状態に戻り、そして、再びトリガーを引くことにより弾丸を発射できる。これらの動作を繰り返すことにより、弾丸を連続的（セミ・オートマチック）に発射できる。
【０００５】
しかしながら、ガス圧が低くなり、ボルトがシアーと係止する位置まで後退出来なくなると、ボルトは前後往復運動をし、弾丸が連続的（フル・オートマチック）に発射されてしまう。
【発明の概要】
【発明が解決しようとする課題】
【０００６】
上記のように、フル・オートマチック式のエアガンでは、弾丸やガスの消費が激しいことや銃の反動が大きくなることによる命中精度の低下というデメリットがある。また、従来のセミ・オートマチック機構では、ガス圧が低下した場合に、フル・オートマチックに弾丸が発射されてしまうという問題があった。
そこで、本発明は、ボルトを後退させた位置においた状態からトリガーを引く方式である、オープン・ボルト式のエアガンにおいて、比較的単純な機構で、かつ、確実にセミ・オートマチックを作動させる機構を実現することを目的とする。
【課題を解決するための手段】
【０００７】
前記の課題を解決するために、本発明は、シアーおよび／またはインナーセフティと、トリガーバーという比較的単純な機構で、セミ・オートマチックを作動させる機構を実現した。より具体的には、本発明の玩具銃は、銃身の前後方向に延びるバレルと、銃身の前後方向に延びる筒形状をなして内部に圧縮ガスで充満される気室を形成し、前方側で前記バレルの後方側の端部に連通し、後方側に銃身の前後方向に貫通する貫通孔を有するバルブボディと、前記バルブボディの内部に位置付けられ、前記バレルと前記気室との連通を閉止する閉位置と前記閉位置よりも前方寄りであって前記バレルと前記気室との連通を開放する開位置との間で変位自在に設けられる放出バルブと、前記放出バルブを後方に押し前記閉位置に位置付ける放出バルブスプリングと、銃身の前後方向にスライド自在に設けられ、前部に開口を有し、後部に閉口端を形成し、内部に前記放出バルブを後方から押圧する当接部と、側面に銃身の前方に延出する部分から後方に向けられたカム部と、前記後部閉口端の下方に下面から延出して前方から後方にかけて上方へ向かうように傾斜する係止突起を有するボルトと、前記ボルトを前方に押すボルトスプリングと、前記ボルトの下部に設けられ、前記ボルトの係止突起と当接する突起を有するシアーと、前記シアーの下方に設けられ、前方端またはその近傍に上方に延出する前記ボルトのカム部と当接するボルト当接部と、側面に前記シアーを係止する係止突起とを有し、回動自在に配置された第一のトリガーバーと、前記シアーの前方に設けられ、前記ボルトの係止突起と当接する突起を有するインナーセフティと、前記インナーセフティの下方であって前記第一のトリガーバーの前方に設けられ、側面に前記インナーセフティを係止する係止突起を有し、前後に摺動可能に配置された第二のトリガーバーと、を備える。
【０００８】
本発明はまた、前記シアーが、軸芯と、軸芯より後方に延びる後方突出部と、軸芯より下方に延びる下方突起部と、後方突起部の後方端から上方に向けて突出する前記ボルトの係止突起と当接する係止突起を有し、前記インナーセフティが、軸芯と、軸芯より後方に延びる後方突出部と、軸芯より下方に延びる下方突起部と、後方突起部の後方端から上方に向けて突出する前記ボルトの係止突起と当接する係止突起を有する上記の玩具銃である。
本発明はさらに、前記ボルトのカム部の形状が、前方平坦部、中間スロープ、後方平坦部を前方から後方に向けて順に連続して有する形状である、前記いずれかの玩具銃である。
本発明はさらにまた、前記ボルトが後退により前記シアーに係合し、かつ前記第一のトリガーバーに連結されたトリガーが初期状態にあるときに、前記第一のトリガーバーの前方端が前記第二のトリガーバーの後方端と当接し、第一のトリガーバーと第二のトリガーバーが一直線上になるように、第一のトリガーバーと第二のトリガーバーが配置されている、前記いずれかの玩具銃である。
【発明の効果】
【０００９】
本発明によれば、オープン・ボルト式のオートマチック式のエアガンにおいてトリガーを引き続けても、ボルトがシアーに係止されることにより、弾丸が連続して発射されることを避けることができる。つまり、引き金を１回引く毎に１回の発射動作が行われ、引き金を引きつづけても発射動作が繰り返されないという作動形態を達成することができる。また、本発明によれば、そのようなセミ・オートマチック式の発射機構を、シアーと、シアー係止突起をもつトリガーバーという比較的単純な機構で達成することができる。さらに本発明によれば、加えて、インナーセフティと、インナーセフティ係止突起をもつ第二のトリガーバーという構成を用いることにより、圧縮ガスの圧力が低下した場合でも、連続発射という誤作動を防ぐことができる。
【図面の簡単な説明】
【００１０】
【図１】本発明の一態様であるエアガンの全体の内部構造を示す右断面図である。
【図２】本発明の一態様であるエアガンの初期状態を示す左断面図である。
【図３】図２に続いて、コッキングした状態を示す左断面図である。
【図４】図３に続いて、トリガーを引いてシアーが外れた瞬間を示す左断面図である。
【図５】図４に続いて、ボルトが前進し、トリガーバーＡが押し下げられ、シアーが復帰した瞬間を示す、左断面図である。
【図６】図５に続いて、さらにボルトが前進した状態を示す、左断面図である。
【図７】図６に続いて、ボルトがバルブを開放した状態を示す、左断面図である。
【図８】図７に続いて、ボルトが後退を始め、インナーセフティが復帰した状態を示す左断面図である。
【図９】図８に続いて、ボルトが後退してシアーにより係止された状態を示す左断面図である。
【図１０】図７に続いて、ボルトがシアーに掛かる位置まで後退しなかった場合のボルトの停止状態を示す左断面図である。
【図１１】従来のセミ・オートマチック機構をもつオープン・ボルト式エアガンの初期状態を示す左断面図である。
【図１２】図１１に続いて、コッキングした状態を示す左断面図である。
【図１３】従来のセミ・オートマチック機構をもつオープン・ボルト式エアガンにおいて、ボルトが後退してシアーにより係止された状態を示す左断面図である。
【発明を実施するための形態】
【００１１】
本明細書で言うセミ・オートマチックとは、引き金を１回引く毎に１回の発射動作が行われ、引き金を引きつづけても発射動作が繰り返されないという作動形態を意味する。以下本発明の例示的な形態を説明するが本発明は以下の例示に限定されない。
【００１２】
図１は、本発明の一態様である玩具銃１０１の右断面図である。玩具銃１０１は、ガスボンベ１０２を取り付けて用いるセミ・オートマチックの方式の玩具銃である。この玩具銃１０１は、ガスボンベ１０２に封入された圧縮ガスの圧力を弾丸Ｂに与えて、弾丸Ｂを銃口１０３から発射する。エアガン１０１は、銃側面に銃後端方向へ摺動可能なスライドを有し、スライドを銃後端方向へ摺動させ再び初期位置へ戻り発射準備を完了する。使用者は、玩具銃１０１の銃床を肩に当て、トリガー１０４に指をかけ、銃口１０３を射撃対象物（例えば、的）に向ける。そして、使用者は、指を動かしてトリガー１０４を玩具銃１０１の後方側に引くことで、銃口１０３から弾丸Ｂを発射させることができる。
図２〜１０は、本発明の玩具銃１０１の内部構造を示す左断面図である。なお、図２〜１０では、銃口部分、トリガーガード、及び銃床を省いている。また、以下の説明において、銃口１０３がある側を玩具銃１０１の銃口側または前方側と呼び、トリガーがある側を玩具銃１０１の銃後側または後方側と呼ぶ。
【００１３】
図２は、本実施態様のエアガンの初期状態を示している。図２を参照して銃本体に備わる部分について説明する。銃本体は、筐体をなすフレーム１、バルブ、ボルト２、ヒットピン２１、ボルトスプリング３、トリガー１２、トリガースプリング１３、トリガーバーＡ６、トリガーバーＡスプリング７、トリガーバーＢ８、トリガーバーＢスプリング９、シアー４、シアースプリング５、インナーセフティ１０、インナーセフティスプリング１１を有する。
【００１４】
まず、玩具銃１０１の前方部分に備わる各部について説明する。玩具銃１０１は、筐体をなすフレーム１とバレル１４とを備える。本実施例では、フレーム１は、銃身の一部をなし、玩具銃１０１の前後方向を規定する。バレル１４は、銃本体の前後方向に延びる円筒状の部材である。バレル１４の前端は、銃口である。このバレル１４の内径は、弾丸Ｂの直径と略同じである。バレル１４は、フレーム１の前方側に位置する。本実施形態では、バレル１４は、フレーム１から、銃本体の前方に突出している。なお、バレル１４は、フレーム１の内部に収納されてもよい。
【００１５】
ボルト２は、フレーム１に収納されている、銃本体の前後方向に延びる筒状の部材であり、銃本体の前後方向にスライド自在に設けられている。ボルト２の前方は、開口端になっている。ボルト２には、コッキングレバー（図示せず）が取り付けられ、手動でボルト２を後退させることができる。ボルト２の後方は、閉口端となっている。閉口端にはヒットピン２１が設けられ、バルブボディ１８へ向かって突出している。ヒットピン２１は、バルブボディ１８の後端にある嵌合孔に嵌合する。ボルト２は、側面に、カム部２ａを設けている。カム部２ａは、銃本体の前方に延出する部分から後方に向けられている。カム部２ａの奥行（ボルト２の下面からの距離）は、図２に示すように一様ではない。より詳細には、カム部２ａは、前方平坦部、中間スロープ、後方平坦部を、前方から後方に向けて順に連続して有する。また、ボルト２は、係止突起２ｂを有する。係止突起２ｂは、閉口端側の下面から下方に延出し、前方から後方にかけて上方へ向かうよう傾斜する。ボルト２の係止突起２ｂには、シアー４の突起およびインナーセフティ１０の突起が当接する。ボルトスプリング３は、ボルト２の閉口端の外側面と、フレーム１の後部内側面との間に位置し、ボルト２を前方に向けて付勢する。
【００１６】
バルブボディ１８は、フレーム１内に固定されて設けられている筒状の部材である。このバルブボディ１８の外径は、ボルト２の内径よりも小さい。ボルト２が前進すると、ボルト２はバルブボディ１８に覆いかぶさる。バルブボディ１８の内空間前方には、放出バルブ１９が前方にスライド移動するための空間が確保されている。また、バルブボディの後端には、後蓋１８ａが取り付けられている。後蓋１８ａは、バルブボディ１８の外部と放出バルブ１９の内部とを連通する貫通孔を有する。貫通孔の後方は、内径が大きくなっており、嵌合孔となっている。この嵌合孔には、バルブボディ１８の外部から、ボルト２に備わるヒットピン２１が嵌合する。また、この貫通孔に対しては、バルブボディ１８の内部側から、放出バルブ１９に備わる摺動突起が入り込む。この摺動突起は、嵌合孔側に突出する。バルブボディ１８には、ガス導入路１８ｂが形成される。ガス導入路１８ｂのために、バルブボディ１８は下方に突出した形状をなしていて、フレーム１に嵌めこまれて下方に突出している。ガスボンベ２４は、このガス導入部１８ｂの先端に取り付けられる。そして、ガスボンベ２４は、このガス導入部を介してバルブボディの内部に圧縮ガスを送り込む。バルブボディ１８の内部には、気室１７が形成される。気室１７の前方側からは、ガス通路１６が延びている。気室１７の後方側は、後蓋１８ａで閉じられる。
【００１７】
放出バルブ１９は、筒状の部材であり、前方の端面は開口している。放出バルブ１９の外径は、バルブボディの内径よりも小さい。この放出バルブ１９は、バルブボディ１８の内部に位置付けられて、バルブボディ１８と放出バルブ１９との間に気室１７を形成する。放出バルブ１９の後端側には、フランジ部１９ａと摺動突起１９ｂとが形成される。フランジ部１９ａは、バルブの外周から放射方向に突出する。摺動突起１９ｂは、貫通孔に入り込み、嵌合孔側に突出する。放出バルブ１９は、圧縮ガスが通過するための、直線路と傾斜路とを形成する。直線路は、バルブの前方の端面に開口し、バレル１４の前後方向に延びている。傾斜路は、直線路に連なっていて、この直線路に対して傾斜する方向に延び、フランジ部１９ａと摺動突起１９ｂとの間に開口する。放出バルブ１９の前端側の外周には、Ｏリング１９ｃとワッシャー１９ｄとが取り付けられる。Ｏリング１９ｃは、ワッシャー１９ｄとバルブボディ１８の内壁とに挟まれる。放出バルブスプリング２０は、ワッシャー１９ｄとフランジ部１９ａの間に位置し、放出バルブ１９の外周に巻きつくように配置される。放出バルブスプリング２０は、ワッシャー１９ｄを前方に押してＯリング１９ｃをバルブボディ１８の内壁に押し付ける。また、放出バルブスプリング２０は、フランジ部１９ａをパッキン１９ｅに押し付ける。これにより、放出バルブ内の直線路、傾斜路と気室との連通が閉止される。
【００１８】
トリガー１２は、フレーム１の下方に位置する。トリガー１２は、支点を中心に回転自在にフレーム１に取り付けられる。トリガー１２は、指掛部１２ａと上方延出部１２ｂとを有する。指掛部１２ａは、支点から下方に延び、上方延出部１２ｂは、支点から上方に延びる。上方延出部１２ｂの最上端には、トリガーバーＡ６が回動可能に連結されている。また、上方延出部１２ｂは、トリガースプリング１３によって図中における時計回りに付勢されている。トリガーは指掛部１２ａに指を掛けて回動させた直後には、上方延出部１２ｂは回動しない。ある程度指掛部１２ａが回動すると、指掛部１２ａと上方延出部１２ｂとが当接して回動を始め、これによってトリガーバーＡ６が前進する。これは、指掛部１２ａに指が触れて多少回動しても、弾丸発射には至らないようにするための安全装置である。なお、このような安全装置を設けず、指掛部１２ａと上方延出部１２ｂとが一体となったトリガー１２を設けることも可能である。
【００１９】
トリガーバーＡ６は、トリガー１２の上方に、回動可能にフレーム１に設けられる。トリガーバーＡ６の上方にあるボルト当接部６ａは、ボルト２のカム部２ａに当接する。ボルト当接部６ａが、ボルト２のカム部２ａに沿って上下する結果、トリガーバーＡ６は、ボルト２の前後の往復運動に応じて回動する。ボルト２の移動に従ってボルト２がトリガーバーＡ６を回動させ、トリガーバーＡ６とシアー４とが係合ないし離反する。トリガーバーＡ６には、その側面に、シアー係止突起６ｂが設けられる。図中では、シアー係止突起はトリガーバーＡの側面下部に設けられているが、側面であれば特に限定されない。トリガーバーＡ６は、その銃口側端部又はその近傍において、トリガーバーＡスプリング７によってボルト方向に付勢される。また、トリガーバーＡ６は、その銃口側端部又はその近傍にトリガーバーＢ当接部６ｃが設けられる。図２の状態では、ボルト２が前進位置にあるため、トリガーバーＡ６のボルト２当接部は、ボルト２のカム部２ａの後端平坦部に当接している。このとき、トリガーバーＡ６は、ボルト２に押し下げられている状態である。
【００２０】
トリガーバーＢ８は、トリガーバーＡ６よりも前方に、前後摺動可能に設けられる。トリガーバーＢ８には、その側面に、インナーセフティ係止突起８ａが設けられる。トリガーバーＢ８は、トリガーバーＢスプリング９によって後方側に付勢される。トリガーバーＢ８の前方には、スロープ部８ｂが設けられる。
【００２１】
シアー４は、ボルト２やボルトスプリングよりも下方に、回動可能にフレーム１に設けられる。シアー４は、軸芯、軸芯より後方に延びる後方突出部４ｂ、軸芯より下方に延びる下方突出部４ｃを有する。シアー４の後方突出部４ｂの銃後端側上方には、上方に向けて突出し、ボルト２の前進を止めるボルト係止突起４ａが設けられる。また、シアー４の後方突出部の下方には、シアースプリング５が設けられる。シアースプリング５は、シアー４を図中における反時計回りに付勢し、後方突出部４ｂを上方に持ち上げる。シアー４の後方突出部４ｂが上方に持ち上げられているとき、ボルト２は前進を阻止される。
【００２２】
インナーセフティ１０は、シアー４同様に、ボルト２やボルトスプリング３よりも下方でシアーより銃口端側に、回動可能にフレーム１に設けられる。また、軸芯、軸芯より後方に延びる後方突出部１０ｂ、軸芯より下方に延びる下方突出部１０ｃを有することや、その後方突出部の銃後端側上方には、上方に向けて突出し、ボルト２の前進を止めるボルト係止突起１０ａが設けられることは、シアー４と同様である。後方突出部１０ｂには、インナーセフティスプリング１１が設けられる。インナーセフティスプリング１１は、インナーセフティ１０を図中における反時計回りに付勢し、後方突出部１０ｂを上方に持ち上げる。インナーセフティ１０の後方突出部１０ｂが上方に持ち上げられているとき、ボルト２は前進を阻止される。インナーセフティ１０は、初期状態においては、ボルト２の後端にある係止突起２ｂと当接している。なお、本実施形態では、シアー４とインナーセフティ１０が略同じ大きさで、かつ、外観が類似しているけれども、シアー４とインナーセフティ１０は、銃の形態に応じて異なる大きさとなりうる。
インナーセフティは、初期状態において、銃を傾けるなどしてボルト２が前進することによりボルト２内のヒットピンがバルブを叩いて予期せぬ暴発の発生するのを防ぐため、ボルト２が初期位置から前進するのを防ぐことができる。
【００２３】
マガジン１５は、バレル１４後端部に設けられる。本実施形態では、マガジンはガスボンベ２４とともに握部Ａ内に着脱可能に収納されているが、握部の前方に配置してもよい。本実施形態では、マガジン１５は、円筒状の部材であるシリンダーおよびシリンダーを一端または両端に有する箱状の弾倉本体から成る。シリンダーは、底面に弾丸保持孔を単数ないし複数個有し、軸芯を中心に回転可能である。弾丸保持孔は、弾丸（ＢＢ弾、ペレット弾の一方または双方）を収納できる大きさの孔である。このようなマガジン１５を有するエアガンにあっては、マガジン１５を回転させるためのネイル等が必要となる（後述）。もっとも、マガジン１５は回転式のものでなくても差し支えない。例えば箱状のマガジン１５を下方から差し込むものなど、マガジン１５は銃の形に応じて様々な形態をとりうる。
【００２４】
ネイル２２は、本実施形態のように回転式のマガジン１５が設けられる場合に、銃本体内に設けられる。ネイル２２は、マガジン１５を回転させ、弾丸保持孔をバレル１４後端部に対向する位置に位置づける。ネイル２２は、フレーム１に回動可能に設けられるネイル支持アーム２３に連結されており、トリガーバーＢ８のスロープ部８ｂ上にある。
【００２５】
次に、図３を参照して、コッキングした状態を説明する。
ボルト２を手で後方側に引く。そうすると、ボルトスプリング３の付勢に抗して、ボルト２が後退する。ボルト２は後退の途中で、ボルト２の係止突起２ｂがシアー４のボルト係止突起４ａに当接して乗り上げる。このときシアー４は、シアースプリング５の付勢に抗して回動する。さらに後退して、ボルト２の最後退位置に達すると、ボルト２の係止突起２ｂが、シアー４のボルト係止突起４ａと係止してボルト２は停止する。
【００２６】
ボルト２に押し下げられていたトリガーバーＡ６は、ボルト２の後退により回動していく。トリガーバーＡ６のボルト当接部６ａは、ボルト２の後退に伴い、ボルト２のカム部２ａの後方平坦部からスロープ部を経て、前方平坦部にて当接することになる。そして、トリガーバーＡ６は、トリガーバーＢ８と略一直線上に並んだ時点で、回動を停止する。
【００２７】
次に、図４を参照して、トリガーが引かれ、シアーがボルトから外れる状態を説明する。
トリガー１２を引く。そうすると、トリガー１２と係合しているトリガーバーＡ６が前方側に前進する（図中の矢印）。トリガーバーＡ６のシアー係止突起６ｂもまた前進してシアー４を押圧し、シアー４が回動する。トリガーバーＡ６の前進によって、トリガーバーＡ６の前方側に位置するトリガーバーＢ当接部６ｃがトリガーバーＢ８の後方側に当接し、トリガーバーＢ８もまた、前方に前進を始める（図中の矢印）。トリガーバーＢ８のインナーセフティ係止突起８ａもまた前進してインナーセフティ１０を押圧し、インナーセフティ１０が回動する。トリガーバーＢ８の前進によって、ネイル支持アーム２３がトリガーバーＢ８のスロープ部８ｂを登りながら回動し、ネイル支持アーム２３に連結されたネイル２２が上昇してマガジン１５と係合し、マガジン１５を回転させる。その結果、マガジン１５内の弾丸は、バレル１４と一直線上に並ぶ位置に置かれる。その結果、シアー４のボルト係止突起４ａはシアー４の回動によってボルト２と係止する位置にはなくなる。また、インナーセフティ１０のボルト係止突起１０ａもインナーセフティ１０の回動によってボルト２と干渉しない位置にある。そのため、ボルト２とシアー４の係止が解けた直後、ボルト２は、ボルトスプリング３の付勢によって、急速に前進する。
【００２８】
次いで、図５を参照して、ボルトが前進し、トリガーバーＡが押し下げられ、シアーが復帰した状態を説明する。
ボルト２が前進するのに伴い、トリガーバーＡ６のボルト当接部６ａは、前方平坦部から中間スロープに当接することとなる。これに伴い、トリガーバーＡ６が少しずつ押し下げられる。これによって、シアー４とトリガーバーＡ６のシアー係止突起６ｂとの係止が止み、シアー４がシアースプリング５の付勢によって初期位置に戻る。このときには、まだ、トリガーバーＡ６とトリガーバーＢ８とは、かろうじて当接を保っている
【００２９】
次に、図６を参照して、さらにボルトが前進した状態を説明する。さらにボルト２が前進することにより、トリガーバーＡ６がボルト２のカム部２ａの、中間スロープによってさらに押し下げられ、ついにはトリガーバーＡ６とトリガーバーＢ８との当接が解ける。
【００３０】
次に、図７を参照して、ボルトがバルブを開放した状態を説明する。
ボルト２が前進を続け、ボルト２内のヒットピン２１がバルブボディ１８内の放出バルブ１９を叩打する。これによって、放出バルブ１９が前進して、バルブボディ１８内の気密が解ける。そして、バルブボディ１８内に満ちている圧縮ガスが放出バルブ１９内のガス通路を経て、回転マガジン１５内の弾丸へ向かう。弾丸は、ガス圧によってバレル１４内を経て、発射される。
一方、トリガーバーＡ６のボルト当接部６ａは、ボルト下部の中間スロープから後方平坦部に当接することとなる。これによって、トリガーバーＡ６はさらに下方にボルト２により押し下げられる。トリガーバーＢ８はトリガーバーＢスプリング９の付勢によって後退し、押し下げられたトリガーバーＡ６のトリガーバーＢ当接部６ｃの上方に乗り上げる。これによって、トリガーバーＢ８の後退は止まる。トリガーバーＢ８の後退によって、ネイル支持アーム２３はトリガーバーＢ８の前方傾斜面上を下りながら回動し、ネイル支持アーム２３に連結されたネイル２２が回転マガジン１５との係合を止めて下降する。トリガーバーＢ８の後退によって、インナーセフティ１０とトリガーバーＢ８のインナーセフティ係止突起８ａとの当接が解ける。そのため、インナーセフティ１０は、インナーセフティスプリング１１の付勢によって（図では）反時計回りに回動して初期位置に復帰しようとするけれども、ボルト２の係止突起２ｂが当接してインナーセフティ１０の回動を阻むため、初期位置へは復帰できない。
【００３１】
次に、図８を参照して、ボルトが後退を始め、インナーセフティが復帰した状態を説明する。
バルブボディ１８内の圧縮ガスは、マガジン１５へ向かうほか、ボルト２の後方へも向かい、ボルト２を後方へ押圧する。これによって、ボルト２は、ボルトスプリング３の付勢に抗して、後退を始める。ボルト２の後退によって、ボルト２とインナーセフティ１０とが離反すると、インナーセフティ１０は、インナーセフティスプリング１１の付勢によって初期位置へ復帰する。
【００３２】
次に、図９を参照して、ボルトが後退してシアーにより係止された状態を説明する。ボルト２が後退しきった後、ボルト２はボルトスプリング３の付勢によって、前進しようとするけれども、初期状態に復帰したシアー４のボルト係止突起４ａとボルト２の係止突起２ｂとが係合するため、前進することはできず、コッキング位置のままでボルト２が停止する。
【００３３】
この状態で、使用者がトリガー１２の指掛部から指を離すと、上方延出部１２ｂは、トリガースプリング１３によって時計回りに回動する。それによって、上方延出部１２ｂの最上端に回動可能に連結されたトリガーバーＡ６が後退し、トリガーバーＡは、図３の状態に戻る。使用者が再び、トリガー１２を引く。そうすると、再び、トリガー１２と係合しているトリガーバーＡ６が前方側に前進し、トリガーバーＡ６のシアー係止突起６ｂもまた前進してシアー４を押圧し、シアー４が回動し、シアー４のボルト係止突起４ａはボルト２と係止する位置から離れる。また、トリガーバーＡ６の前進によって、トリガーバーＡ６の前方側に位置するトリガーバーＢ当接部６ｃがトリガーバーＢ８の後方側に当接し、トリガーバーＢ８もまた、前方に前進する。そして、トリガーバーＢ８のインナーセフティ係止突起８ａもまた前進してインナーセフティ１０を押圧し、インナーセフティ１０が回動し、インナーセフティ１０のボルト係止突起１０ａもボルト２と干渉しない位置におかれる。以下、上記した説明と同様にして、弾丸は、ガス圧によってバレル１４内を経て、発射される。
【００３４】
その後、再び、バルブボディ１８内の圧縮ガスにより、ボルト２が後方へ押圧され、ボルトが後退し、そして初期状態に復帰したシアーにより係止された状態に戻る。これらの動作を繰り返すことにより、弾丸を連続的に発射でき、セミ・オートマチックの射撃が可能となる。
【００３５】
次に、図１０を参照して、ガス圧の低下により、ボルトがシアーに掛かる位置まで後退しなかった場合のボルトの停止状態を説明する。
連続射撃によるガス圧の低下によって、ボルト２がシアー４と係合する位置まで後退できないことがありうる。この場合、ボルト２の係止突起２ｂとシアー４のボルト係止突起４ａとが係合することなくボルト２の後退が止み、ボルトスプリング３の付勢によって、ボルト２は再び前進を始めてしまう。このとき、インナーセフティ１０が元の位置に復帰しているため、ボルト２の係止突起２ｂとインナーセフティ１０のボルト係止突起１０ａとが当接して係合することにより、ボルト２は前進を阻まれる。この時点で、ヒットピン２１と放出バルブ１９との間には、十分な空間が確保されている。そのため、ボルト２内のヒットピン２１が放出バルブ１９を叩打することはなく、弾丸発射には至らない。この状態からトリガー１２を戻すと、トリガーバーＡ６が後退して初期位置に戻り、図２の状態（初期状態）に復帰する。これによって、セミ・オートマチックでの作動の際に、ガス圧の低下によってあたかもフル・オートマチックであるかのような作動となるのを防ぎ、製品品質に対する信頼の確保を図ることができる。
【符号の説明】
【００３６】
１        フレーム
２        ボルト
２ａ      カム部
２ｂ      係止突起
３        ボルトスプリング
４        シアー
４ａ      ボルト係止突起
５        シアースプリング
６        トリガーバーＡ
６ａ      ボルト当接部
６ｂ      シアー係止突起
７        トリガーバーＡスプリング
８        トリガーバーＢ
８ａ      インナーセフティ係止突起
８ｂ      スローブ部
９        トリガーバーＢスプリング
１０      インナーセフティ
１０ａ    ボルト係止突起
１１      インナーセフティスプリング
１２      トリガー
１２ａ    トリガー指掛部
１２ｂ    トリガー上方延出部
１３      トリガースプリング
１４      バレル
１５      マガジン
１６      ガス通路
１７      気室
１８      バルブボディ
１９      放出バルブ
２０      放出バルブスプリング
２１      ヒットピン
２２      ネイル
２３      ネイル支持アーム
１０１    玩具銃本体
２０１    フレーム
２０２    ボルト
２０３    ボルトスプリング
２０４    トリガー
２０５    トリガースプリング
２０６    シアー
２０７    シアースプリング
２０８    シアー係止突起
【図１】
0005932445.tif 000002
【図２】
0005932445.tif 000003
【図３】
0005932445.tif 000004
【図４】
0005932445.tif 000005
【図５】
0005932445.tif 000006
【図６】
0005932445.tif 000007
【図７】
0005932445.tif 000008
【図８】
0005932445.tif 000009
【図９】
0005932445.tif 000010
【図１０】
0005932445.tif 000011
【図１１】
0005932445.tif 000012
【図１２】
0005932445.tif 000013
【図１３】
0005932445.tif 000014